(57)【要約】【課題】フレームモールド側面部材を適用せずに、これに代替されるように構造を単純化したバックライトアセンブリー、及び該バックライトアセンブリーを備えた表示装置を提供する。【解決手段】本発明に係るバックライトアセンブリー２０は、光を供給する複数のランプ２２と、ランプ２２を固定し、露出面を有するランプホルダー３０，３２と、複数のランプ２２を収納する固定部材９０と、固定部材９０の側面を傾いて覆いながら、ランプ２２から照射された光を反射させる反射シート１０と、を含む。【選択図】図１
2005322645.tif 000002
【特許請求の範囲】
【請求項１】
光を供給する複数のランプと、
前記ランプを固定し、露出面を有するランプホルダーと、
前記複数のランプを収納する固定部材と、
前記固定部材の側面を傾いて覆いながら、前記ランプから照射された光を反射させる反射シートと、を含む、バックライトアセンブリー。
【請求項２】
一対のランプホルダーが配置され、前記ランプホルダーの各露出面が互いに対向する、請求項１に記載のバックライトアセンブリー。
【請求項３】
前記反射シートの対向する両側面に、一つ以上の開口部が形成されている、請求項１に記載のバックライトアセンブリー。
【請求項４】
前記ランプホルダーは、前記開口部を通じて前記固定部材に嵌合して結合される、請求項３に記載のバックライトアセンブリー。
【請求項５】
前記ランプホルダーの露出面は、前記開口部から突出する、請求項４に記載のバックライトアセンブリー。
【請求項６】
前記ランプホルダーは、前記ランプを固定する第１ランプホルダー及び第２ランプホルダーを含み、前記第１ランプホルダーに対するランプの結合方向が前記第２ランプホルダーに対する前記ランプの結合方向と互いに異なる、請求項１に記載のバックライトアセンブリー。
【請求項７】
前記第１ランプホルダーが嵌合して結合される前記固定部材の側面を前記反射シートが傾いて覆っており、前記ランプを固定する前記第１ランプホルダーの露出面が傾いて形成される、請求項６に記載のバックライトアセンブリー。
【請求項８】
前記ランプには曲がり部が形成され、前記曲がり部が前記第１ランプホルダーに固定される、請求項７に記載のバックライトアセンブリー。
【請求項９】
前記ランプは、前記第１ランプホルダーの上部方向へ前記第１ランプホルダーと脱着可能である、請求項８に記載のバックライトアセンブリー。
【請求項１０】
前記第１ランプホルダーにランプ支持用溝が形成されており、前記ランプ支持用溝に沿って突出部が形成されて、前記ランプを固定する、請求項７に記載のバックライトアセンブリー。
【請求項１１】
前記反射シートは、
前記固定部材の底面を覆う底部と、
前記底部の周縁ごとに別個に形成されて、前記固定部材の側面を覆い、傾斜部を有する複数の側面部と、を含み、
前記複数の側面部のうちの互いに隣接する側面部は、その一端同士が重畳して付着される、請求項１に記載のバックライトアセンブリー。
【請求項１２】
前記反射シートは、
前記固定部材の底面を覆う底部と、
前記ランプの長さ方向に対して垂直に位置する第１側面部と、
前記第１側面部と対向する第２側面部と、を含み、
前記第１側面部及び前記第２側面部のうちの少なくとも一つの側面部は、別個に分離されて前記底部に付着される、請求項１に記載のバックライトアセンブリー。
【請求項１３】
前記第１側面部及び前記第２側面部のうちの少なくとも一つは、前記ランプホルダーと接触する、請求項１２に記載のバックライトアセンブリー。
【請求項１４】
前記反射シートは、
前記固定部材の底面を覆う底部と、
前記ランプの長さ方向に対して垂直に位置する第１側面部と、
前記第１側面部と対向する第２側面部と、を含み、
前記第１側面部及び前記第２側面部のうちの少なくとも一つの側面部は、別個に分離されて、前記底部に形成された溝に挿入される、請求項１に記載のバックライトアセンブリー。
【請求項１５】
前記反射シートの前記第１側面部及び前記第２側面部のうちの少なくとも一つは、前記ランプホルダーと接触する、請求項１４に記載のバックライトアセンブリー。
【請求項１６】
前記反射シートは、発泡ＰＥＴを含んでなる、請求項１に記載のバックライトアセンブリー。
【請求項１７】
前記固定部材は、金属枠または樹脂製の枠を含んでなる、請求項１に記載のバックライトアセンブリー。
【請求項１８】
画像を表示するパネルユニットと、
前記パネルユニットに光を供給するバックライトアセンブリーと、を含み、
前記バックライトアセンブリーは、
光を供給する複数のランプと、
前記ランプを固定し、露出面を有するランプホルダーと、
前記複数のランプを収納する固定部材と、
前記固定部材の側面を傾いて覆いながら、前記ランプから照射された光を反射させる反射シートと、を含む、表示装置。
【請求項１９】
一対のランプホルダーが配置され、前記ランプホルダーの各露出面が互いに対向する、請求項１８に記載の表示装置。
【請求項２０】
前記反射シートの対向する両側面に、一つ以上の開口部が形成されている、請求項１８に記載の表示装置。
【請求項２１】
前記ランプホルダーは、前記開口部を通じて前記固定部材に嵌合して結合される、請求項２０に記載の表示装置。
【請求項２２】
前記ランプホルダーの露出面は、前記開口部から突出する、請求項２１に記載の表示装置。
【請求項２３】
前記ランプホルダーは、前記ランプを固定する第１ランプホルダー及び第２ランプホルダーを含み、前記第１ランプホルダーに対するランプの結合方向が、前記第２ランプホルダーに対する前記ランプの結合方向と互いに異なる、請求項１８に記載の表示装置。
【請求項２４】
前記第１ランプホルダーが嵌合して結合される前記固定部材の側面を、前記反射シートが傾いて覆っており、前記ランプを固定する前記第１ランプホルダーの露出面が傾いて形成される、請求項２３に記載の表示装置。
【請求項２５】
前記ランプには曲がり部が形成され、前記曲がり部が、前記第１ランプホルダーに固定される、請求項２４に記載の表示装置。
【請求項２６】
前記ランプは、前記第１ランプホルダーの上部方向へ前記第１ランプホルダーと脱着可能である、請求項２５に記載の表示装置。
【請求項２７】
前記第１ランプホルダーにランプ支持用溝が形成されており、前記ランプ支持用溝に沿って突出部が形成されて、前記ランプを固定する、請求項２４に記載の表示装置。
【請求項２８】
前記反射シートは、
前記固定部材の底面を覆う底部と、
前記ランプの長さ方向に対して垂直に位置した第１側面部と、
前記第１側面部と対向する第２側面部と、を含み、
前記第１側面部及び前記第２側面部のうちの少なくとも一つの側面部は、別個に分離されて、前記底部に付着される、請求項１８に記載の表示装置。
【請求項２９】
前記反射シートは、
前記固定部材の底面を覆う底部と、
前記ランプの長さ方向に対して垂直に位置する第１側面部と、
前記第１側面部と対向する第２側面部と、を含み、
前記第１側面部及び前記第２側面部のうちの少なくとも一つの側面部は、別個に分離されて、前記底部に形成された溝に挿入される、請求項１５に記載の表示装置。
【請求項３０】
前記固定部材は、金属枠または樹脂製の枠を含んでなる、請求項１８に記載の表示装置。
【発明の詳細な説明】
【技術分野】
【０００１】
本発明は、構造を単純化したバックライトアセンブリー（ｂａｃｋｌｉｇｈｔ  ａｓｓｅｍｂｌｙ）及びこれを備えた表示装置に関し、より詳しくは、フレームモールド側面部材（ｆｒａｍｅ  ｍｏｌｄ  ｓｉｄｅ）を適用せずに反射シートを変形して構造を単純化したバックライトアセンブリー及びこれを備えた表示装置に関する。
【背景技術】
【０００２】
近来急速に発展している半導体技術を中心に、小型化及び軽量化されて性能がより向上した表示装置の需要が爆発的に増加している。
【０００３】
このような表示装置の中でも、近来脚光を浴びている液晶表示装置（ｌｉｑｕｉｄ  ｃｒｙｓｔａｌ  ｄｉｓｐｌａｙ、ＬＣＤ）は、小型化、軽量化、及び低電力消費化などの長所を有しているため、既存のブラウン管（ＣＲＴ、ｃａｔｈｏｄｅ  ｒａｙ  ｔｕｂｅ）の短所を克服する代替手段として注目されてきており、現在では、表示装置が必要なほとんど全ての情報処理機器に装着されて使用されている。
【０００４】
一般的な液晶表示装置は、液晶の特定の分子配列に電圧を印加して異なる分子配列に変換させ、このような分子配列によって、発光する液晶セルの複屈折性、旋光性、二色性、及び光散乱性などの光学的性質の変化を視覚の変化に変換するものであって、液晶セルによる光の変調を利用して情報を表示する表示装置である。
【０００５】
液晶表示装置における液晶表示パネルは、自らは発光することができない受光素子であるため、液晶表示パネルの下部に、液晶表示パネルに光を供給するためのバックライトアセンブリーを備えている。バックライトアセンブリーは、ランプ、導光板、反射シート、及び光学シートなどを含む。ランプは、比較的発熱量が少なく自然光に近い白色光を発して寿命が長い、冷陰極線管方式ランプである。
【０００６】
ランプは衝撃に弱いため、これを固定支持するために、ランプホルダーをランプの両端に備えている。一方、近来の液晶表示装置は、消費者の嗜好によって大きさが次第に大きくなっており、これにより十分な輝度特性を有する画像を表示するために複数のランプを設置しなければならないため、複数のランプホルダーを固定支持するためのフレームモールド側面部材を備えている。フレームモールド側面部材を備える場合、その体積によって液晶表示装置全体の重量が増加するだけなく、組立てのための追加的な工程が必要となり、製造費用が上昇するなどの様々な問題点がある。また、フレームモールド側面部材を備える場合、反射効率が低下するため、液晶表示パネルに供給される光が損失されて、フレームモールド側面部材が位置する両端の上部に位置する液晶表示装置に画面を表示する際に、暗部が発生する問題点がある。
【発明の開示】
【発明が解決しようとする課題】
【０００７】
本発明は、このような問題点を解決するためのものであって、フレームモールド側面部材を適用せずにこれに代替されるように構造を単純化したバックライトアセンブリーを提供する。
【０００８】
また、本発明は、前記バックライトアセンブリーを備えた表示装置を提供する。
【課題を解決するための手段】
【０００９】
このような目的を達成するために、本発明によるバックライトアセンブリーは、光を供給する複数のランプと、ランプを固定し、露出面を有するランプホルダー（ｌａｍｐ  ｈｏｌｄｅｒ）と、複数のランプを収納する固定部材と、固定部材の側面を傾いて覆いながら、前記ランプから照射された光を反射させる反射シートと、を含む。
【００１０】
一対のランプホルダーが配置され、ランプホルダーの各露出面が互いに対向することが好ましい。
【００１１】
反射シートの対向する両側面に、一つ以上の開口部が形成されていることが好ましい。
【００１２】
ランプホルダーは、開口部を通じて固定部材に嵌合して結合されることが好ましい。
【００１３】
ランプホルダーの露出面は開口部から突出するのが好ましい。
【００１４】
ランプホルダーは、ランプを固定する第１ランプホルダー及び第２ランプホルダーを含み、第１ランプホルダーに対するランプの結合方向が第２ランプホルダーに対するランプの結合方向と互いに異なることが好ましい。
【００１５】
第１ランプホルダーが嵌合結合される固定部材の側面を反射シートが傾いて覆っており、ランプを固定する第１ランプホルダーの露出面は傾いて形成されることが好ましい。
【００１６】
また、ランプには曲がり部が形成され、曲がり部が第１ランプホルダーに固定される。
【００１７】
ランプは、第１ランプホルダーの上部方向で第１ランプホルダーと脱着可能であることが好ましい。
【００１８】
第１ランプホルダーにランプ支持用溝が形成されており、第１ランプホルダーのランプ支持用溝に沿って突出部が形成されて、ランプを固定する。
【００１９】
反射シートは、固定部材の底面を覆う底部と、底部の周縁ごとに別個に形成されて、固定部材の側面を覆う複数の側面部と、を含み、複数の側面部のうちの互いに隣接する側面部は、その一端同士が重畳して付着されるのが好ましい。
【００２０】
反射シートは、固定部材の底面を覆う底部と、ランプの長さ方向に対して垂直に位置する第１側面部と、第１側面部と対向する第２側面部と、を含み、第１側面部及び第２側面部のうちの少なくとも一つの側面部は、別個に分離されて、底部に付着されることが好ましい。
【００２１】
また、第１側面部及び第２側面部のうちの少なくとも一つは、ランプホルダーと接触するのが好ましい。
【００２２】
反射シートは、固定部材の底面を覆う底部と、ランプの長さ方向に対して垂直に位置した第１側面部と、第１側面部と対向する第２側面部と、を含み、第１側面部及び第２側面部のうちの少なくとも一つの側面部は、別個に分離されて、底部に形成された溝に挿入されることが好ましい。
【００２３】
反射シートの第１側面部及び第２側面部のうちの少なくとも一つは、ランプホルダーと接触することが好ましい。
【００２４】
反射シートは発泡ＰＥＴ（ｐｏｌｙｅｔｈｌｅｎｅ  ｔｅｌｅｐｈｔｈａｌａｔｅ、ポリエチレンテレフタレート）を含んでなることが好ましい。
【００２５】
本発明の目的を達成するために、本発明の他の特徴による表示装置は、画像を表示するパネルユニット（ｐａｎｅｌ  ｕｎｉｔ）と、パネルユニットに光を供給するバックライトアセンブリーと、を含む。バックライトアセンブリーは、光を供給する複数のランプと、ランプを固定し、露出面を有するランプホルダーと、複数のランプを収納する固定部材と、固定部材の側面を傾いて覆いながら、ランプから照射された光を反射させる反射シートと、を含む。
【００２６】
一対のランプホルダーが配置され、ランプホルダーの各露出面が互いに対向することが好ましい。
【００２７】
ここで、反射シートの対向する両側面に、一つ以上の開口部が形成されていることが好ましい。
【００２８】
また、ランプホルダーは、開口部を通じて固定部材に嵌合結合されることが好ましい。
【００２９】
ランプホルダーの露出面は、開口部から突出することが好ましい。
【００３０】
また、ランプホルダーは、ランプの長さ方向の一側を固定する第１ランプホルダー及びランプの長さ方向の他側を固定する第２ランプホルダーを含み、第１ランプホルダーに対するランプの結合方向が、第２ランプホルダーに対するランプの結合方向と互いに異なることが好ましい。
【００３１】
第１ランプホルダーが嵌合して結合される固定部材の側面を反射シートが傾いて覆っており、ランプを固定する第１ランプホルダーの露出面が傾いて形成されることが好ましい。
【００３２】
また、ランプには曲がり部が形成され、曲がり部が第１ランプホルダーに固定される。
【００３３】
ランプは、第１ランプホルダーの上部方向へ第１ランプホルダーと脱着可能であることが好ましい。
【００３４】
また、第１ランプホルダーにランプ支持用溝が形成されており、第１ランプホルダーのランプ支持用溝に沿って突出部が形成されて、ランプを固定する。
【００３５】
反射シートは、固定部材の底面を覆う底部と、ランプの長さ方向に対して垂直に位置した第１側面部と、第１側面部と対向する第２側面部と、を含み、第１側面部及び第２側面部のうちの少なくとも一つの側面部は、別個に分離されて、底部に付着されるのが好ましい。
【００３６】
反射シートは、固定部材の底面を覆う底部と、ランプの長さ方向に対して垂直に位置した第１側面部と、第１側面部と対向する第２側面部と、を含み、第１側面部及び第２側面部のうちの少なくとも一つの側面部は、別個に分離されて、底部に形成された溝に挿入されることが好ましい。
【発明の効果】
【００３７】
本発明によれば、フレームモールド側面部材を適用しないため、バックライトアセンブリーの構造を単純化して、製造費用を節減することができる。
【００３８】
また、反射シートが傾いているため、光の反射効率を向上させることができる。
【００３９】
そして、反射シートに開口部が形成されているため、開口部を通じてランプホルダーを固定部材に効率的に挿入することができる。
【００４０】
さらに、ランプの曲がり部がランプホルダーによって固定されるため、ランプを安定的に支持することができる。
【００４１】
さらに、ランプ支持用溝がランプホルダーに形成されているため、ランプを堅固に固定することができる。
【００４２】
また、ランプを上部方向でランプホルダーから脱着することができるため、固定部材に対してランプを容易に組立てたり分離することができる。
【００４３】
そして、反射シートが発泡型ＰＥＴを含んでなるため、反射効率が非常に優れている。
【００４４】
さらに、反射シートを分離型に製造することができるため、バックライトアセンブリーを容易に製造することができる。
【発明を実施するための最良の形態】
【００４５】
以下、図１乃至図７を参照して、本発明の実施形態を説明する。しかし、このような本発明の実施形態は、単に本発明を例示するためのものであり、本発明がこれに限られるわけではない。
【００４６】
図１は本発明の第１実施形態に係るバックライトアセンブリー２０の分解斜視図であって、フレームモールド側面部材を適用しないバックライトアセンブリーを示す。
【００４７】
図１に示した本発明の第１実施形態に係るバックライトアセンブリー２０は、光を供給する光源であるランプ２２、及びこれを固定するランプホルダー３０を含む。また、ランプ２２から照射される光の輝度を向上させるために、反射シート１０、拡散板２８、及び光学シート２６を含む。モールドフレーム２１及び固定部材９０でバックライトアセンブリー２０を固定する。固定部材９０は、複数のランプ２２を収納する。固定部材９０は、金属枠または樹脂製の枠を含んでなる。光を照射する複数のランプ２２は、図１のＸ軸方向にのびているため、曲がりやすい。したがって、複数の支持部材２４をランプ２２の下部に設置して、ランプ２２を支持する。また、各ランプ２２の各端部に、ランプ２２を支持するためにランプホルダー３０を設置する。
【００４８】
図１には示さなかったが、固定部材９０の背面には電力供給用ＰＣＢであるインバータを設置する。インバータは、外部電力を一定のレベルの電圧に変換して、ランプ２２に電力を印加する。
【００４９】
図１に示したバックライトアセンブリーの構造は、単に本発明を例示するためのものであり、本発明がこれに限られるわけではない。したがって、他の構造のバックライトアセンブリーにも本発明を適用することができる。
【００５０】
ランプ２２から照射された光は拡散板２８に向かう。ランプ２２から照射された光の一部は反射シート１０によって反射して拡散板２８に向かう。拡散板２８に入射された光はほとんど全ての方向に拡散するため、光の均一性が向上する。次に、複数の光学シート２６を通過しながら光の輝度が向上する。光学シート２６は、保護シート、プリズムシート、及び光学シートを含むことができるため、光の強さを集中させて光の輝度を向上させることができる。
【００５１】
本発明によると、反射シート１０は一体に製造されて、折り曲げて固定部材９０に収納することができる。特に、固定部材９０の上部側面を反射シート１０で覆う。ランプホルダー３０は、一般に、フレームモールド側面部材で覆われているが、本発明では、ランプホルダー３０を覆うためにフレームモールド側面部材を使用せずに、反射シート１０のみを使用する。したがって、ランプホルダー３０は、ランプ２２の長さ方向の両側に露出して設置されて、互いに対向している。
【００５２】
したがって、フレームモールド側面部材による光の損失を減少させることができる。また、フレームモールド側面部材を使用しないため、バックライトアセンブリー２０の部品数を減少させることができ、構造を単純化して、製造費用を節減することができる。また、反射シート１０を発泡性ＰＥＴで製造することができるため、バックライトアセンブリー２０から輝度及び均一性が向上した光を照射することができる。本発明によるバックライトアセンブリー２０の構造は、以下で詳細に説明する。
【００５３】
図２は反射シート１０で覆われた固定部材９０を示す。図１に示したモールドフレーム２１、光学シート２６、及び拡散板２８は、反射シート１０の構造を詳細に説明するために、図２では省略する。説明の便宜上、図１に示した固定部材９０を、Ｚ軸を基準に時計回りに９０゜回転させて図２に示す。
【００５４】
図２に示すように、ランプホルダーは、第１ランプホルダー３２及び第２ランプホルダー３０を含む。第１ランプホルダー３２はランプ２２の長さ方向の一側を固定する。また、第２ランプホルダー３０はランプ２２の長さ方向の他側を固定する。
【００５５】
ランプ２２は曲がっており、ランプ２２の曲がり部が第１ランプホルダー３２に固定される。ランプ２２が曲がっているため、ランプ２２の個数を大幅に減少させることができ、組立工程が簡単になる。図２では、ランプ２２をＵ字型で示したが、これは単にランプの一例にすぎず、本発明がこれに限られるわけではない。
【００５６】
反射シート１０は、固定部材９０の側面を傾いて覆う。特に、反射シート１０は、第１ランプホルダー３２と第２ランプホルダー３０の間に位置するため、ランプ２２から照射された光を損失なくＺ軸方向に反射させる。
【００５７】
ランプ２２に対する第１ランプホルダー３２の結合方向は、ランプ２２に対する第２ランプホルダー３０の結合方向と互いに異なる。第１ランプホルダー３２の露出面が傾いて形成されるため、ランプ２２は、第１ランプホルダー３２と第１ランプホルダー３２の上部方向で脱着可能である。以下に、ランプ２２を結合する過程を説明する。
【００５８】
まず、第２ランプホルダー３０と結合されたランプ２２を準備する。次に、第１過程で、ランプ２２と結合された第２ランプホルダー３０を固定部材９０の右側の開口部（図示せず）に挿入する。最後に、第２過程で、ランプ２２の曲がり部を、第１ランプホルダー３２の上面に形成されたランプ支持用溝３２１に挿入する。このような方法でランプ２２を固定部材９０に収納する。
【００５９】
図３は図２のＡーＡ線に沿う部分断面図である。図３を参照して、第１ランプホルダー３２の内部構造を詳細に説明する。
【００６０】
図３に示すように、第１ランプホルダー３２及び第２ランプホルダー３０は、固定部材９０及び反射シート１０と堅固に固定される。特に、第１ランプホルダー３２及び第２ランプホルダー３０が傾いて反射シート１０を押すため、反射シート１０を固定部材９０上に堅固に固定する。
【００６１】
ランプ２２は、第１ランプホルダー３２及び第２ランプホルダー３０に堅固に固定されるため、ランプ２２が容易に破損するのを防止することができる。特に、図３の拡大円で示すように、突出部３２３がランプ支持用溝３２１に沿って形成されて、ランプ２２を堅固に固定する。ランプ２２の曲がり部は温度が低いため、多量の水銀がこの場所に集中して割れやすい。しかし、突出部３２３がランプ支持用溝３２１に沿って形成されるため、ランプ２２が堅固に支持されて、内部に含まれている水銀が漏出しない。
【００６２】
図４は本発明の第１実施形態に係るバックライトアセンブリーに備えられた反射シート１０を示す。図４に示す反射シートは、単に本発明によるバックライトアセンブリーに備えられた反射シートを例示するためのものにすぎず、本発明がこれに限られるわけではない。したがって、反射シートを他の形態に変形することができる。
【００６３】
固定部材を覆う反射シート１０は、バックライトアセンブリーから分離することができる。図４に示される点線に沿って反射シート１０を折り曲げて、固定部材に付着する。
【００６４】
図４に示すように、反射シート１０の対向する側面部１０２、１０４には、一つ以上の開口部１０２１、１０４１が形成される。側面部１０２、１０４は、Ｘ軸方向に対向する。ランプホルダーは、第１開口部１０２１及び第２開口部１０４１に挿入される。さらに、ランプホルダーは、開口部１０２１、１０４１を通じて固定部材に嵌合して結合される。
【００６５】
反射シート１０は、底部１１０及び複数の側面部１０２、１０４、１０６、１０８を含む。また、必要な場合、反射シート１０に他の部分を含むこともできる。底部１１０は固定部材の底面を覆っている。また、複数の側面部１０２、１０４、１０６、１０８は、底部１１０の周縁ごとに別個に形成されて、固定部材の側面を覆っている。
【００６６】
複数の側面部のうちの互いに隣接する側面部は、その一端同士が重畳付着される。矢印で示すように、側面部１０６、１０８の各々の両端に位置する端部１０６１、１０８１は、隣接する他の側面部１０２、１０４に付着されて固定される。端部１０６１、１０８１は両面テープまたはステプラーなどを使用して側面部１０２、１０４の後面に付着固定される。反対に、端部１０６１、１０８１を他の側面部１０２、１０４の前面に付着することもできる。一例として、図４の拡大円には、側面部１０８の一端に位置する端部１０８１を側面部１０２の後面に付着した状態を示す。これにより、反射シート１０の周縁部を通じて光が漏出するのを防止することができる。
【００６７】
反射シート１０は、発泡ＰＥＴを含んでなるため、反射効率を向上させることができる。発泡ＰＥＴは加工が難しいため、前述した方法で周縁部を付着するのが好ましい。
【００６８】
図５は他の種類の反射シート５０を示すが、この反射シート５０は、本発明の第２実施形態に係るバックライトアセンブリーに備えられる。反射シート５０は、一体型でない分離型である。分離型反射シート５０の場合、反射シートを一度に共に製造する必要がないため、容易に製造することができる。
【００６９】
図５に示す反射シートは、単に反射シートの一例にすぎず、本発明がこれに限られるわけではない。したがって、反射シートを他の形態に変形することができる。
【００７０】
反射シート５０は、底部５１０及び複数の側面部５０２、５０４、５０６、５０８を含む。底部５１０は固定部材の底面を覆っている。第１側面部５０２はランプの長さ方向の垂直方向に沿って位置する。第２側面部５０４は第１側面部５０２に対向する。第３側面部５０６及び第４側面部５０８は互いに対向する。
【００７１】
第１側面部５０２及び第２側面部５０４のうちの少なくとも一つの側面部は、別個に分離されて、底部に付着される。付着するための接着手段としては、接着剤または両面テープなどを使用することができる。図５の拡大円に示すように、第１側面部５０２及び第２側面部５０４の下部に各々形成された突出部５０２３、５０４３は、底部５１０の周縁に沿って形成される連結部５１０１の後面に付着される。
【００７２】
ランプは、各々第１側面部５０２及び第２側面部５０４に各々形成される開口部５０２１、５０４１を通じて挿入される。ランプホルダーは、第１側面部５０２及び第２側面部５０４の後面に備えられて、ランプを固定する。したがって、第１側面部５０２及び第２側面部５０４のうちの少なくとも一つの側面部がランプホルダーと接触して、光の反射効率を向上させることができる。
【００７３】
図６は他の種類の反射シート６０を示すが、この反射シート６０は本発明の第３実施形態に係るバックライトアセンブリーに備えられる。反射シート６０は、一体型でない分離型である。分離型反射シート６０の場合、反射シートを一度に共に製造する必要がないため、容易に製造することができる。
【００７４】
図６に示す反射シートは、単に反射シートの一例にすぎず、本発明がこれに限られるわけではない。したがって、反射シートを他の形態に変形することができる。
【００７５】
反射シート６０は、底部６１０及び複数の側面部６０２、６０４、６０６、６０８を含む。底部６１０は固定部材の底面を覆っている。第１側面部６０２はランプの長さ方向の垂直方向に沿って位置する。第２側面部６０４は第１側面部６０２に対向する。第３側面部６０６及び第４側面部６０８は互いに対向する。
【００７６】
第１側面部６０２及び第２側面部６０４のうちの少なくとも一つの側面部は、別個に分離されて、底部６１０に挿入される。複数の溝６１０１が底部６１０上に形成されているため、第１側面部６０２及び第２側面部６０４を挿入することができる。したがって、反射シート６０には接着剤のような接着手段が必要ない。図６の拡大円に示すように、第１側面部６０２及び第２側面部６０４の下部に各々形成される突出部６０２３、６０４３は、底部６１０に形成される溝６１０１に挿入される。
【００７７】
ランプは、各々第１側面部６０２及び第２側面部６０４に各々形成される開口部６０２１、６０４１を通じて挿入される。ランプホルダーは、第１側面部６０２及び第２側面部６０４の後面に備えられて、ランプを固定する。したがって、第１側面部６０２及び第２側面部６０４のうちの少なくとも一つの側面部がランプホルダーと接触して、光の反射効率を向上させることができる。
【００７８】
図７は本発明の一実施形態に係る表示装置１００を示す。図７に示す表示装置の構造は、単に本発明を例示するためのものであり、本発明がこれに限られるわけではない。したがって、表示装置を他の形態に変形することができる。
【００７９】
また、図７にはパネルユニットとして液晶表示パネル８０を示しているが、これは単に本発明を例示するためのものであり、本発明が液晶表示パネルに限られるわけではない。したがって、他の表示パネルを使用することができる。
【００８０】
図７に示すように、表示装置１００は、画像を表示する液晶表示パネル８０、及び液晶表示パネル８０に光を供給するバックライトアセンブリー２０を含む。液晶表示パネルアセンブリー４０は、液晶表示パネル８０、駆動ＩＣパッケージ（ｄｒｉｖｅｒ  ＩＣ  ｐａｃｋａｇｅ）４１、４３、及び印刷回路基板４２、４４を含む。複数の駆動ＩＣパッケージ４１、４３は、各々液晶表示パネル８０上に形成されたゲート線及びデータ線に電気的に接続される。駆動ＩＣパッケージは、チップオンフィルム（ｃｈｉｐ  ｏｎ  ｆｉｌｍ，ＣＯＦ）、テープキャリアパッケージ（ｔａｐｅ  ｃａｒｒｉｅｒ  ｐａｃｋａｇｅ，ＴＣＰ）などでありうる。
【００８１】
液晶表示パネル８０は、複数のＴＦＴ（ｔｈｉｎ  ｆｉｌｍ  ｔｒａｎｓｉｓｔｏｒ、薄膜トランジスタ）からなるＴＦＴ基板８１、ＴＦＴ基板８１の上部に位置するカラーフィルター基板８３、及びこれら２つの基板の間に注入される液晶（図示せず）を含んで構成される。
【００８２】
ＴＦＴ基板８１は、マトリックス形態に複数の薄膜トランジスタが形成された透明なガラス基板である。ＴＦＴ基板８１上に形成されるソース端子にはデータ線が連結され、ＴＦＴ基板８１上に形成されるゲート端子にはゲート線が連結される。そしてドレイン端子には導電性材質で透明なＩＴＯ（ｉｎｄｉｕｍ  ｔｉｎ  ｏｘｉｄｅ、インジウムチンオキシド）を含んでなる画素電極が形成される。
【００８３】
液晶表示パネル８０のデータ線及びゲート線は、各々駆動ＩＣパッケージ４３、４１に連結される。データ駆動ＩＣパッケージ４３からＴＦＴのソース端子に電気的な信号を入力し、ゲート駆動ＩＣパッケージ４１からＴＦＴのゲート端子に電気的な信号を入力すれば、これら電気的な信号の入力によってＴＦＴがオンまたはオフされて、画素の形成に必要な電気的な信号がドレイン端子に出力される。データＰＣＢ４４に電気的に連結されたコントロールボード（図示せず）は、外部から駆動信号を受信して、液晶表示パネル８０のデータ線及びゲート線に駆動信号を印加する。
【００８４】
一方、ＴＦＴ基板８１に対向して、その上にカラーフィルター基板８３が配置されている。カラーフィルター基板８３には、光が通過しながら多様な色が表示される色画素であるＲＧＢ画素が形成される。また、カラーフィルター基板８３の全面にはＩＴＯを含んでなる共通電極が形成される。ＴＦＴのゲート端子及びソース端子に駆動電圧が印加されて、ＴＦＴがオンされれば、画素電極とカラーフィルター基板８３の共通電極との間に電界が形成される。このような電界によってＴＦＴ基板８１とカラーフィルター基板８３との間に注入された液晶の配列角が変化し、変化した配列角に応じて光の透過度が変更されて、所望の画素を表示するようになる。
【００８５】
ゲートＰＣＢ４２は、ゲート駆動ＩＣパッケージ４１を通じて液晶表示パネル８０にゲート駆動信号を伝送し、データＰＣＢ４４は、データ駆動ＩＣパッケージ４３を通じて液晶表示パネル８０にゲート駆動信号を伝送する。
【００８６】
バックライトアセンブリー２０は、画像を表示する液晶表示パネル８０に均一な光を供給するために、液晶表示パネルアセンブリー４０の下部に備えられる。液晶表示パネルアセンブリー４０は、トップシャーシ７０によってバックライトアセンブリー２０上に収納される。バックライトアセンブリー２０は、フレームモールド側面部材を適用せずに反射シートを備えるため、輝度が向上して均一性が高い光を供給することができる。
【００８７】
前述のように本発明を説明したが、特許請求の範囲の概念及び範囲を逸脱しない限り、多様な修正及び変形が可能であるということが、本発明の属する技術分野に従事する者には容易に理解される。
【図面の簡単な説明】
【００８８】
【図１】本発明の第１実施形態に係るバックライトアセンブリーの分解斜視図である。
【図２】本発明の第１実施形態に係るバックライトアセンブリーの部分斜視図である。
【図３】図２のＡーＡ線に沿う部分断面図である。
【図４】本発明の第１実施形態に係るバックライトアセンブリーに備えられた反射シートの斜視図である。
【図５】本発明の第２実施形態に係るバックライトアセンブリーに備えられた反射シートの分解斜視図である。
【図６】本発明の第３実施形態に係るバックライトアセンブリーに備えられた反射シートの分解斜視図である。
【図７】本発明の一実施形態に係る表示装置の分解斜視図である。
【符号の説明】
【００８９】
１０、５０、６０    反射シート、
２０    バックライトアセンブリー、
２１    モールドフレーム、
２２    ランプ、
２６    光学シート、
２４    支持部材、
２８    拡散板、
３０    第２ランプホルダー、
３２    第１ランプホルダー、
４０    液晶表示パネルアセンブリー、
４１、４３    駆動ＩＣパッケージ、
４２、４４    印刷回路基板、
７０    トップシャーシ、
８０    液晶表示パネル、
８１    ＴＦＴ基板、
８３    カラーフィルター基板、
９０    固定部材、
１００    表示装置、
３２１    ランプ支持用溝、
３２３    突出部。
【図１】
2005322645.tif 000003
【図２】
2005322645.tif 000004
【図３】
2005322645.tif 000005
【図４】
2005322645.tif 000006
【図５】
2005322645.tif 000007
【図６】
2005322645.tif 000008
【図７】
2005322645.tif 000009